(57)【特許請求の範囲】
【請求項１】
外面を備えた少なくとも１つの側壁により少なくとも一部が構成された容器であって、前記外面がアレイ状に配列された複数個の個々の書込み領域により構成されている第１の書込み面を備えた少なくとも１枚のラベル部を有する、容器において、隣り合う前記書込み領域が少なくとも実質的に中間スペースにより互いに隔離されており、第２の書込み面が前記中間スペースに設けられ、前記第２の書込み面は、前記第１の書込み面に対して垂直方向に引っ込められており、
前記第１の書込み面の書込み領域と前記中間スペースの前記第２の書込み面との間には、垂直遷移部が設けられ、
前記垂直遷移部は、筆記用具が当該垂直遷移部を通過するときにインキを捕捉し、それにより、前記中間スペース内にインキが入り込み、前記筆記用具で書かれたテキストを保護する、容器。
【請求項２】
前記第１の書込み面及び前記第２の書込み面は、前記容器の前記少なくとも１つの側壁と一体に形成されている、請求項１記載の容器。
【請求項３】
複数の前記第１の書込み面及び前記第２の書込み面が前記容器の前記少なくとも１つの側壁の外面にエッチング形成されている、請求項２記載の容器。
【請求項４】
前記第１の書込み面の前記複数個の個々の書込み領域は、前記複数個の書込み領域の各々が前記少なくとも１つの側壁の外面に対して垂直方向に盛り上げられるよう前記容器の前記少なくとも１つの側壁の外面に付けられ、更に、前記第２の書込み面は、前記個々の書込み領域相互間の前記中間スペース内で前記少なくとも１つの側壁の外面上に設けられている、請求項１記載の容器。
【請求項５】
前記第１の書込み面の前記複数個の個々の書込み領域は、前記容器の前記少なくとも１つの側壁の前記外面に印刷されている、請求項４記載の容器。
【請求項６】
前記第１の書込み面の前記複数個の個々の書込み領域は、前記容器の前記少なくとも１つの側壁の前記外面に貼付された粘着ラベルである、請求項４記載の容器。
【請求項７】
前記ラベル部を形成する領域の少なくとも大部分に関し、前記第２の書込み面の面積は、前記第１の書込み面の面積以下である、請求項１記載の容器。
【請求項８】
前記アレイは、前記第１の書込み面の隣り合う書込み領域が互いに完全に隔離されていることを特徴とし、前記第２の書込み面は、連続した書込み面から成る、請求項１記載の容器。
【請求項９】
前記第１及び前記第２の書込み面は、前記容器の前記少なくとも１つの側壁の外面に貼付された別個の粘着ラベル上に形成されている、請求項１記載の容器。
【請求項１０】
外面を備えた少なくとも１つの側壁により少なくとも一部が構成された容器であって、前記外面がアレイ状に配列された複数個の個々の書込み領域により構成されている第１の書込み面を備えた少なくとも１枚のラベル部を有する、容器において、隣り合う前記書込み領域が少なくとも実質的に中間スペースにより互いに隔離されており、第２の書込み面が前記中間スペースに設けられ、前記第２の書込み面は、前記第１の書込み面に対して垂直方向に引っ込められており、
前記第１の書込み面の前記複数個の個々の書込み領域は、前記複数個の書込み領域の各々が前記少なくとも１つの側壁の外面に対して垂直方向に盛り上げられるよう前記容器の前記少なくとも１つの側壁の外面に付けられ、更に、前記第２の書込み面は、前記個々の書込み領域相互間の前記中間スペース内で前記少なくとも１つの側壁の外面上に設けられており、
前記第１の書込み面の書込み領域と前記中間スペースの前記第２の書込み面との間には、垂直遷移部が設けられ、
前記垂直遷移部は、筆記用具が当該垂直遷移部を通過するときにインキを捕捉し、それにより、前記中間スペース内にインキが入り込み、前記筆記用具で書かれたテキストを保護する、容器。
【請求項１１】
前記第１の書込み面の前記複数個の個々の書込み領域は、前記容器の前記少なくとも１つの側壁の前記外面に印刷されている、請求項１０記載の容器。
【請求項１２】
前記第１の書込み面の前記複数個の個々の書込み領域は、前記容器の前記少なくとも１つの側壁の前記外面に貼付された粘着ラベルである、請求項１０記載の容器。
【請求項１３】
前記ラベル部を形成する領域の少なくとも大部分に関し、前記第２の書込み面の面積は、前記第１の書込み面の面積以下である、請求項１０記載の容器。
【請求項１４】
前記アレイは、前記第１の書込み面の隣り合う書込み領域が互いに完全に隔離されていることを特徴とし、前記第２の書込み面は、連続して位置する書込み面から成る、請求項１０記載の容器。
【請求項１５】
外面を備えた少なくとも１つの側壁により少なくとも一部が構成された容器であって、前記外面がアレイ状に配列された複数個の個々の書込み領域により構成されている第１の書込み面を備えた少なくとも１枚のラベル部を有する、容器において、隣り合う前記書込み領域が中間スペースにより互いに完全に隔離されており、第２の書込み面が前記中間スペースに設けられ、前記第２の書込み面は、前記第１の書込み面に対して垂直方向に引っ込められており、
前記第１の書込み面の前記複数個の個々の書込み領域は、前記複数個の書込み領域の各々が前記少なくとも１つの側壁の外面に対して垂直方向に盛り上げられるよう前記容器の前記少なくとも１つの側壁の外面に印刷され、更に、前記第２の書込み面は、前記個々の書込み面相互間の前記中間スペース内で前記少なくとも１つの側壁の外面上に設けられており、
前記第１の書込み面の書込み領域と前記中間スペースの前記第２の書込み面との間には、垂直遷移部が設けられ、
前記垂直遷移部は、筆記用具が当該垂直遷移部を通過するときにインキを捕捉し、それにより、前記中間スペース内にインキが入り込み、前記筆記用具で書かれたテキストを保護する、容器。
【請求項１６】
前記ラベル部を形成する領域の少なくとも大部分に関し、前記第２の書込み面の面積は、前記第１の書込み面の面積以下である、請求項１５記載の容器。
【請求項１７】
書込み面及び反対側の接着面を有する粘着ラベルであって、前記書込み面が、前記書込み面から垂直方向に各々盛り上げられた複数個の別々の書込み領域を含み、前記複数個の別々の書込み領域は、隣り合う書込み領域が中間書込み領域を構成する中間スペースにより互いに隔てられるような特徴を示すアレイの状態に配列されており、
前記中間書込み領域とこれに隣接する書込み領域との間には、垂直遷移部が設けられ、
前記垂直遷移部は、筆記用具が当該垂直遷移部を通過するときにインキを捕捉し、それにより、前記中間スペース内にインキが入り込み、前記筆記用具で書かれたテキストを保護する、粘着ラベル。
【請求項１８】
前記粘着ラベルを形成する領域の少なくとも大部分に関し、前記中間書込み領域の面積は、前記複数個の別々の書込み領域の面積以下である、請求項１７記載の粘着ラベル。
【請求項１９】
前記複数個の別々の書込み領域は、前記書込み面にエンボスされている、請求項１７記載の粘着ラベル。
【請求項２０】
前記複数個の別々の書込み領域は、前記書込み面に印刷されている、請求項１７記載の粘着ラベル。
【発明の詳細な説明】
【技術分野】
【０００１】
本発明は、一般に、容器上に手書き識別情報及び他の標識を提供するラベルに関し、かかる容器としては、実験室容器、例えば試験管、遠心分離管、培養管等が挙げられるが、これらには限定されない。
【背景技術】
【０００２】
管、箱、袋、ジャー等を含む種々の形式の容器は、多種多様なアイテムを入れるうえで慣用である。多くの環境、例えば実験室環境、台所環境等において、容器上に直接情報を提供することが望ましい場合がある。従来、これは、適当な筆記用具、例えばペン、マーカー等を用いて容器の表面に直接書込みをすることによって達成される場合がある。これは、一般に、満足のいくものではない。というのは、書込みは、取扱い等に起因して不鮮明になり又はすぐに読みにくくなる場合があるからである。これは、実験室環境において取り扱われる容器の場合に特に当てはまる。
【０００３】
別法として、容器用の専用ラベルを提供することが知られている。例えば、容器、例えば実験室試験管、遠心分離管等は、ユーザが管の中に入っている試料又は他のアイテムに関する情報を与えるための書込み面を提供するラベルを有する場合がある。かかるラベルは、ユーザにより容器に貼付される取り外し可能な粘着ラベルの形態をしている場合があり、或いは、例えば印刷により容器に前もって直接設けられたラベル表示領域の形態を取っている場合がある。例えば、実験室管には管それ自体の材料及び色とは異なる材料及び色（通常、白色）の一様な永続的書込み面（「ラベル表示スポット」と通称されている）が印刷され又はエッチングされている場合のあることが知られている。しかしながら、このような手段であっても不完全である。ラベル表示スポットに関し、これら書込み面の印刷材料が手書きにより書込み面に塗布されたインキの乾燥時間を長くする傾向があるということがその不完全な事例である。これにより、書込み面上の手書き内容が次の容器の取扱い中、不鮮明になる恐れが高くなる。
【０００４】
したがって、先行技術で生じている欠点を解決する改良型ラベルを備えた容器が要望されている。
【発明の概要】
【０００５】
本明細書は、少なくとも一部が外面を備えた少なくとも１つの側壁により構成されている形式の容器用の改良型容器ラベルを開示する。かかる側壁外面には少なくとも１枚のかかるラベルが貼付され、このラベルは、複数個の個々の書込み領域によって構成された第１の書込み面を有し、複数個の個々の書込み領域は、隣り合う書込み領域が少なくとも実質的に中間スペースにより互いに隔離されるような特徴を示すアレイの状態に配列され、第２の書込み面が中間スペースに設けられる。第２の書込み面は、第１の書込み面に対して垂直方向に引っ込められている。
【０００６】
本発明の一特徴によれば、第１の書込み面及び第２の書込み面は、容器の少なくとも１つの側壁と一体に形成されている。これは、本発明の一実施形態では、複数の第１の書込み面及び第２の書込み面を容器の少なくとも１つの側壁の外面内にエッチング形成することによって達成できる。
【０００７】
別の実施形態によれば、第１の書込み面の複数個の個々の書込み領域は、複数個の書込み領域の各々が少なくとも１つの側壁の外面に対して垂直方向に盛り上げられるよう容器の少なくとも１つの側壁の外面に付けられ、更に、第２の書込み面は、個々の書込み領域相互間の中間スペース内で少なくとも１つの側壁の外面上に設けられている。これは、例えば、第１の書込み面の複数個の個々の書込み領域を容器の少なくとも１つの側壁の外面に印刷することによって達成できる。変形例として、第１の書込み面の複数個の個々の書込み領域は、容器の少なくとも１つの側壁の外面に貼付された粘着ラベルであるのが良い。
【０００８】
本発明の別の特徴によれば、ラベルの領域の少なくとも大部分に関し、第２の書込み面の総面積は、第１の書込み面の総面積以下である。
【０００９】
本発明の一実施形態では、第１の書込み領域のアレイは、第１の書込み面の隣り合う書込み領域が互いに完全に隔離されていることを特徴とする。この実施形態によれば、第２の書込み面は、連続した書込み面から成る。
【００１０】
本発明の更に別の実施形態では、第１及び第２の書込み面は、容器の少なくとも１つの側壁の外面に貼付された別個の粘着ラベル上に形成されている。この粘着ラベルは、本発明の一実施形態によれば、書込み面及び反対側の接着面を有する。書込み面は、各々書込み面から垂直方向に盛り上げられた複数個の別々の書込み領域を含み、複数個の別々の書込み領域は、隣り合う書込み領域が中間書込み領域を構成する中間スペースにより互いに隔てられるような特徴を示すアレイの状態に配列されている。複数個の別々の書込み領域は、書込み面にエンボスされるのが良い。変形例として、複数個の別々の書込み領域は、書込み面に印刷されても良い。
【００１１】
本発明の良好な理解を得ると共に本発明をどのように実施すればよいかを明確に示すために、次に、例示として添付の図面を参照する。なお、添付の図面は、本発明の例示の実施形態を示している。
【図面の簡単な説明】
【００１２】
【図１】本発明の容器ラベルの例示の実施形態の斜視図である。
【図２】本発明の容器ラベルを示す容器側壁の詳細断面図である。
【図３】図１の例示の実施形態の詳細斜視図であり、更に、本発明のラベル上への手書きによる情報の提供の仕方を示す図である。
【図４】本発明の容器ラベルの変形実施形態の詳細斜視図であり、この変形実施形態により、第１の書込み面が容器表面に貼付された粘着ラベルで構成されている状態を示す図である。
【図５】本発明の容器ラベルの変形実施形態の詳細斜視図であり、この変形実施形態により、第２の書込み面が容器の側壁に形成されている状態を示す図である。
【図６】本発明の容器ラベルの別の変形実施形態の詳細斜視図であり、この別の変形実施形態により、第１の書込み面が容器側壁の表面に付けられた後に第２の書込み面が容器の側壁に形成されている状態を示す図である。
【図７】本発明の別の実施形態の斜視図であり、この別の実施形態により、ラベルが容器の外面に貼付可能な別個の粘着ラベルであることを示す図である。
【図８】図７に示されている本発明の変形実施形態の斜視図である。
【発明を実施するための形態】
【００１３】
必要に応じて、本発明の細部にわたる実施形態を本明細書において開示する。しかしながら、理解されるべきこととして、開示する実施形態は、種々の且つ別の形態で実施可能な本発明の単なる例示である。添付の図面は、必ずしも縮尺通りにはなっておらず、特定のコンポーネントの細部を示すために幾つかの特徴部が誇張され又は矮小化されている。したがって、本明細書において開示される特定の構造的及び機能的細部は、本発明を限定するものと解されてはならず、本発明を種々の形態で採用するよう当業者を教示する代表的な基礎として解されるに過ぎない。
なお、本発明における「ラベル部」は、容器に取り付けられるラベル（粘着ラベルなど）、及び、容器と一体に形成され、書込み面などを備える容器の一部分（容器外側面上の部分）を意味するものとする。以下では、このような「ラベル部」のことを単に「ラベル」と表記する。
【００１４】
次に、図面を参照すると（幾つかの図全体にわたり同一の符号は同一又は対応の部分を示している）、本発明は、一般に、少なくとも一部が外面を備えた少なくとも１つの側壁１１により構成されている容器１０として特徴付けられ、かかる外面には少なくとも１枚のラベル２０が貼付され、このラベル２０は、複数個の個々の書込み領域２１によって構成された第１の書込み面を有し、複数個の個々の書込み領域２１は、隣り合う書込み領域が少なくとも実質的に中間スペース２２により互いに隔離されるような特徴を示すアレイの状態に配列され、第２の書込み面２３が中間スペースに設けられ、第２の書込み面２３は、第１の書込み面に対して垂直方向に引っ込められている（図１〜図３）。
【００１５】
以下に更に説明するように、ラベル２０は、容器１０に取り外し可能に取り付けることができると共に／或いはこれと一体に形成できる。
【００１６】
特に図１〜図３の実施形態を参照すると、容器１０は、少なくとも相当な部分が側壁１１で構成されると共に切頭円錐形の端部分１２を含む全体として円筒形の構造の管、例えば遠心分離管、培養管、試験管等として例示されている。反対側の端部は、従来通り、容器１０を選択的に閉じるためのキャップ１４を螺着状態で受け入れるようねじ山（符号１３のところに示されている）が設けられている。ところで、かかる容器を本発明の実施形態の例示として図示すると共に説明するが、本発明は、容器の全体的形状又は容器が設計上入れることができる物質の種類によって限定されることのない多種多様な従来型容器のうちの任意のものの状態に具体化でき又はこれと関連して利用できることは理解されるべきである。かくして、非限定的な例として、本発明は、湾曲した又は平坦な側壁を備える容器、四角形又は三角形の形状を備えた多数の側壁を有する容器又は他の容器等を収容する容器、例えば試験管ラック等の状態に具体化できる。
【００１７】
例えば符号１０で示されている容器は、種々の従来の材料のうちの１つ又は２つ以上で製作可能であり、かかる材料としては、ガラス、金属、プラスチック等が挙げられるが、これらには限定されない。図１〜図３の例示の実施形態の特定の管１０の場合、適当な材料としては、医用樹脂又は他の樹脂（オプションとして、光学的に明澄な樹脂であるのが良い）、ポリプロピレン、ポリスチレン等が挙げられる。
【００１８】
当業者であれば理解されるように、本発明を具体化した容器は、その特定の有用性に応じて、追加の従来の特徴、例えば非限定的な例を挙げると、容器の中へのアイテムの貯蔵を容易にする内部被膜、測定のために用いられる標識、例えば目盛線１５、内壁等を有するのが良い。理解されるように、かかる追加の特徴は、ユーザの好み又は要望に応じて選択可能であり、これら追加の特徴は、本発明の要部をなすわけではない。
【００１９】
側壁１１及びキャップ１４（容器がキャップを有する場合）を含む容器１０の１つ又は２つ以上のコンポーネントは、明澄であっても良く不透明であっても良く着色されていても良く若しくは透明であっても良く又はこれらの任意の組み合わせの状態であって良い。
【００２０】
引き続き図１〜図３を参照すると、１枚又は２枚以上のラベルは各々、注目されるように、少なくとも実質的に中間スペース２２により互いに隔離されている複数個の個々の書込み領域２１によって構成された第１の書込み面を有し、第２の書込み面２３がこの中間スペースに設けられている。図示のように、第２の書込み面２３は、第１の書込み面の個々の書込み領域２１に対して垂直方向に引っ込められている。具体的に説明すると、図１〜図３の実施形態によれば、第２の書込み面２３は、本質的に、中間スペース２２内で容器側壁１１の外面上に形成されている。
【００２１】
個々の各々の書込み領域２１の形状は、本発明を限定するものではなく、即ち、正方形、円形、三角形等であり、美的判断結果に従って選択されるのが良い。図示の実施形態では、個々の各々の書込み領域２１は、平面図で見て形状が正方形である。
【００２２】
図示の実施形態に示されているように、個々の書込み領域２１は、図示のように互いに対して互いに別個のものであるよう互いに間隔を置いて配置されている。しかしながら、個々の書込み領域のうちの２つ又は３つ以上が部分的に互いに連結されても良いことが想定される。
【００２３】
第１の書込み面の複数個の個々の書込み領域２１は、アレイの状態に又は規則的なパターンをなして配列されている。例えば、図示の実施形態は、多数の列で構成されたアレイを示しており、各列は、形状が長方形であるラベルを全体として構成するよう全体として直線状に並べられた複数個の個々の書込み領域２１を含む。当然のことながら、個々の書込み領域２１をこのように並べる仕方は、単に所望の全体的形状及び寸法のラベルの提供次第で、様々であって良いことは本発明の利点を奏するものとして理解されよう。これに対応して、ラベルの全体形状は、例示の実施形態の長方形の形状には限定されず、それどころか、ユーザの好みに従って任意所望の形態を取ることができることは理解されよう。
【００２４】
上述のアレイ中において、個々の書込み領域２１と中間スペース２２内の第２の書込み面２３の相対的間隔は、少なくともラベル２０の面積（即ち、第１及び第２の書込み面により合わせて定められる面積）の大部分に関し、第２の書込み面２３の総面積がおおよそ第１の書込み面の総面積、即ち複数個の個々の書込み領域２１により定められる総面積以下であるようなものである。特に、複数個の個々の書込み領域２１により定められる面積に対する第２の書込み面２３の面積を複数個の個々の書込み領域２１により定められる面積よりも約２０％〜約５０％、好ましくは約４０％〜約５０％少ない量の書込み可能な媒体（例えば、ラベル２０をマーク付けするために用いられる筆記用具からのインキ）を付着させやすいようにすることにより、第１の書込み面の垂直方向下方に付着させた書込み可能な媒体が不鮮明になるのが軽減されるので、ラベル２０に施された手書き内容の経時的読みにくさが改善されることが判明した。
【００２５】
特に図示の実施形態に示されているように、相対的間隔は、第２の書込み面２３が第１の書込み面の隔離された個々の書込み領域２１と比較して複数本の比較的細くて連続して並んだ線を構成するようなものである。
【００２６】
注目されるように、第２の書込み面２３は、第１の書込み面の個々の書込み領域２１に対して垂直方向に引っ込められている。これは、例えば、個々の書込み領域２１を側壁１１の外面に付着させることにより達成でき、その結果、各書込み領域２１は、側壁１１の外面に対して垂直方向に盛り上げられるようになり、それにより、第２の書込み面２３が個々の書込み領域２１相互間で中間スペース２２内で側壁の外面上に形成される。例えば、複数個の個々の書込み領域２１は、図１〜図３の図示の実施形態の場合のように、容器側壁１１の外面に印刷されても良く、かくして、これに加えて、かかる印刷書込み領域２１は各々、第２の書込み領域２３が個々の書込み領域２１相互間で中間スペース２２内で側壁１１の外面のところに形成されるような厚さを有することになる。変形例として、複数個の個々の書込み領域２１は、図４に示されているように容器側壁１１′の外面にアレイ状に付けられた多数の粘着性要素２１′の形態をしていても良い。個々の書込み領域２１の印刷の場合と同様、かかる粘着性書込み領域２１′は各々、第２の書込み領域２３′が個々の書込み領域２１′相互間の中間スペース２２′内の側壁１１′の外面のところに形成されるような所定の厚さを有する。本発明のこの実施形態によれば、接着性の個々の書込み領域の構成材料は、当該技術分野において知られているものであればどのようなものであっても良く、かかる材料は、非限定的な例を挙げると、例えば従来型粘着ラベルで用いられている裏面粘着ナイロン材料を含む。
【００２７】
上述の実施形態のいずれにおいても、第１の書込み面と第２の書込み面との間に大きな垂直方向の差が必要な程度まで、第２の書込み面２３が容器側壁１１の外面上ではなく、この外面内に形成できることが更に想定される。これは、例えば、図５に示されているようにエッチングによって達成でき、エッチングにより、中間スペース２２″は、個々の書込み領域２１″が例えば印刷によって容器側壁の表面に付けられた後、容器側壁の表面中へのエッチングによって更に形成される。上述の説明により、第２の書込み面２３″が側壁の外面の下に設けられることが理解されよう。
【００２８】
本発明のラベルは、以下に説明する手段を含む種々の従来型手段に従って製造できるが、複数個の個々の書込み領域を印刷により容器の外面に付けることにより形成されるラベルは、この目的のためにアペックス・マシン・カンパニー（Apex Machine Company）（フロリダ州フットローダーデール所在）により製造された機械を用いる乾式オフセット印刷法を利用して製造されるのがここでの事例である。乾式オフセット印刷法によれば、印刷されるべき画像の正確な凸像を備えた印刷版に所与の量のペーストインキを供給する。インキ画像を、印刷版からブランケットと呼ばれる滑らかなエラストマー材料片に転移させる。次に、インキ画像をブランケットから印刷されるべき容器に転移させる。
【００２９】
第１の書込み面の個々の書込み領域２１が容器に印刷される場合、第１の書込み領域の材料は、当該技術分野において知られているものであればどのようなものであっても良く、かかる材料は、非限定的な例を挙げると、アクリル系又はオレフィンを主成分とするインキを含む。
【００３０】
本発明の別の実施形態によれば、第１の書込み面と第２の書込み面は、両方とも、容器側壁１１と一体に形成されるのが良い。これは、従来型手段、例えば非限定的な例を挙げると、エッチング、表面磨耗等によって達成できる。図６に示されているこの実施形態に加えて、複数個の個々の書込み領域２１′″がインキ又は他の手書き媒体を受け入れるための表面を形成するよう表面磨耗、エッチング等により容器側壁の外面上にアレイ状に構成されても良いことが想定される。これら個々の書込み領域２１′″相互間の中間スペース２２′″において、第２の書込み面２３′″が外面及びかくして第１の書込み面の個々の書込み領域２１′″に対して垂直方向に引っ込められるよう外面中にエッチングにより又は違ったやり方で形成される。また、本発明のこの実施形態によれば、第１の書込み面は、変形例として、容器側壁の非変更状態の外面を有しても良く、そのかかる個々の書込み領域２１′″のアレイが単に、例えばエッチング等により容器側壁の外面に形成された第２の書込み面２３′″を備えた中間スペース２２′″により構成されることが想定される。
【００３１】
上述の実施形態のうちのどの実施形態によっても、本発明のラベルは、所望に応じて１つ又は２つ以上の色の状態に形成できる。かくして、非限定的な例を挙げると、第１の書込み面の個々の書込み領域は、白色であり、第２の書込み面は、容器側壁材料の色（これは、例えば、白色若しくは他の何らかの色、或いはそれどころか透明であっても良い）を呈しても良い。
【００３２】
図７及び図８に示されている更に別の実施形態によれば、ラベルは、書込み面２４″″及び反対側の粘着性の表面２５″″を備えた別個の粘着ラベル２０″″の形態をしているのが良く、接着性の表面２５″″は、従来通り、剥離層２６″″（図７）により保護されるのが良い。第１の書込み面を構成する複数個の個々の書込み領域２１″″は各々、書込み面２４″″から垂直方向に盛り上げられると共に隣り合う書込み領域が中間スペース２２″″により互いに隔てられていることを特徴とするアレイの状態に配列され、中間スペース２２″″は、上述の実施形態の第２の書込み領域に対応した垂直方向下方の中間書込み領域２３″″を構成している。この実施形態によれば、ラベル２０″″の構成材料は、当該技術分野において知られているものであればどのようなものであっても良く、かかる材料は、非限定的な例を挙げると、例えば従来型粘着ラベルで用いられている裏面粘着ナイロン材料を含む。
【００３３】
本発明のラベルが例えば上述した別々の粘着ラベルとして形成される場合、複数個の別々の垂直方向に盛り上げられた書込み領域２１″″は、例えば図７の例示の実施形態において示されているようにエンボスによって形成され、或いは、変形例として、例えば図８の実施形態に示されているように上述の乾式オフセット印刷法を利用することによってラベル２０″″′の書込み面２４″″′上に垂直方向に盛り上げられた書込み領域２１″″′を印刷することによって形成されることが想定される。
【００３４】
再び図３を参照して本発明の作用を説明すると、ユーザは、筆記用具（図示せず）、例えばペン、マーカー等を用いて情報をラベルに書き込む。筆記用具からの書込み可能な媒体３０が第１の書込み面２１と第２の書込み面２３の両方にくっつく。インキ形式の書込み可能な媒体の場合、インキは、第１の書込み面の個々の書込み領域２１上よりも第２の書込み面２３上の方が早く乾燥可能であり、それにより、次の容器の取扱い中、書込み可能な媒体を不鮮明にする恐れが減少する。さらに、垂直方向下方の第２の書込み面２３内の書込み可能な媒体は、第１の書込み面の個々の周囲書込み領域２１が周囲に且つ垂直方向高所に位置しているので、不鮮明になることがないよう良好に保護可能である。
【００３５】
本発明の例示の実施形態に関する上述の説明は、例示及び説明の目的で与えられている。例示の実施形態は、本発明の全ての実施形態であるというわけではなく、又、本発明を開示した形態そのものに限定するものではなく、改造例及び変形例が上述の教示に照らして可能であり又は日常的に行われる技術革新から得ることができる。本発明の原理及びその実用的な用途を説明するために図示すると共に説明した実施形態により、当業者は、本発明を種々の実施形態で且つ計画される特定の用途に合うよう種々の改造を施して利用することができる。したがって、かかる全ての改造例及び実施形態は、本発明の範囲に含まれる。本発明の精神から逸脱することなく、例示の実施形態の設計、動作条件及び配置に関する他の置換例、改造例、変更例及び省略例を想到できる。
（符号の説明）
１０  容器
１１  側壁
２０  ラベル
２１  書込み領域
２２  中間スペース
２３  第２の書込み面
【図１】
0005657655.tif 000002
【図２】
0005657655.tif 000003
【図３】
0005657655.tif 000004
【図４】
0005657655.tif 000005
【図５】
0005657655.tif 000006
【図６】
0005657655.tif 000007
【図７】
0005657655.tif 000008
【図８】
0005657655.tif 000009